【手続補正書】
【提出日】平成15年9月1日(2003.9.1)
【手続補正１】
【補正対象書類名】明細書
【補正対象項目名】特許請求の範囲
【補正方法】変更
【補正の内容】
【特許請求の範囲】
【請求項１】
少なくとも磁気空隙を有する磁気回路と、この磁気回路に装着されたフレームと、このフレームに直接又は間接的に外周が結合されるとともに振動方向から見た平面形状が対向する２辺を有する振動板と、この振動板の略対称軸上に結合されるとともに上記磁気空隙にはめ込まれるボイスコイル部を有する板状の駆動力伝達部材とで構成されるスピーカ。
【請求項２】
少なくとも磁気空隙を有する磁気回路と、この磁気回路に装着されたフレームと、このフレームに直接又は間接的に外周が結合されるとともに振動方向から見た平面形状が長径と短径を有する振動板と、この振動板の略長径軸上に結合されるとともに上記磁気空隙にはめ込まれるボイスコイル部を有する板状の駆動力伝達部材とで構成されるスピーカ。
【請求項３】
少なくとも環状の磁気空隙を有する磁気回路と、この磁気回路に装着されたフレームと、このフレームに直接又は間接的に外周が結合されるとともに振動方向から見た平面形状が対向する２辺を有する振動板と、この振動板の略対称軸上に接合された板状の駆動力伝達部材と、前記振動板を直接的に及び／又は前記板状駆動力伝達部材を介して間接的に駆動する円筒状ボイスコイルボビンと、前記円筒状ボイスコイルボビンの下端部に巻回されたボイスコイル線輪とで構成されるスピーカ。
【請求項４】
少なくとも環状の磁気空隙を有する磁気回路と、この磁気回路に装着されたフレームと、このフレームに直接又は間接的に外周が結合されるとともに振動方向から見た平面形状が長径と短径を有する振動板と、この振動板の略長径軸上に接合された板状の駆動力伝達部材と、前記振動板を直接的に及び／又は前記板状駆動力伝達部材を介して間接的に駆動する円筒状ボイスコイルボビンと、前記円筒状ボイスコイルボビンの下端部に巻回されたボイスコイル線輪とで構成されるスピーカ。
【請求項５】
振動板の短径断面が長径軸終端近傍まで略Ｖ字形であり、その略長径軸となる底部折曲部に設けられたスリットに駆動力伝達部材が挿入結合されてなる請求項２に記載のスピーカ。
【請求項６】
振動板の短径断面が長径軸終端近傍まで略逆Ｖ字形であり、その略長径軸となる頂部折曲部に設けられたスリットに駆動力伝達部材が挿入結合されてなる請求項２に記載のスピーカ。
【請求項７】
振動板はボイスコイルボビン接合のための１つ以上の円形透孔を有し、かつ、短径断面が長径軸終端近傍まで略Ｖ字形であり、略Ｖ字形の折曲部に直線状のスリットを有する請求項３または請求項４に記載のスピーカ。
【請求項８】
振動板は、短径の断面が長径軸終端近傍まで略Ｖ字形であり、折曲部に直線状のスリットを有し、長径軸中心部から長径軸終端に至る程断面曲線の曲率を大きくして半頂角を徐々に大きく形成する請求項５から請求項７のいずれか１つに記載のスピーカ。
【請求項９】
振動板は、短径の断面が長径軸終端近傍まで略Ｖ字形であり、折曲部に直線状のスリットを有し、前記折曲部を長径軸終端に至る程浅くした請求項５から請求項７のいずれか１つに記載のスピーカ。
【請求項１０】
駆動力伝達部材がガラス繊維複合ポリアミドイミド樹脂シートなどの高耐熱樹脂シートである請求項１から請求項４のいずれか１つに記載のスピーカ。
【請求項１１】
駆動力伝達部材がガラス繊維複合ポリアミドイミド樹脂などを用いた樹脂シートまたはアルミ等の金属板を表面材あるいはコア材とする複合基板である請求項１から請求項４のいずれか１つに記載のスピーカ。
【請求項１２】
板状の駆動力伝達部材のボイスコイル部が板状の片面にボイスコイルを巻回して形成され、少なくともこのボイスコイルの一部が磁気回路の磁気空隙にはめ込まれる請求項１または請求項２に記載のスピーカ。
【請求項１３】
板状の駆動力伝達部材のボイスコイル部が板状の両面に夫々のボイスコイルを巻回して略同一位置、同一電流方向となるように接合して形成され、少なくともこの夫々のボイスコイルの一部が磁気回路の磁気空隙にはめ込まれる請求項１または請求項２に記載のスピーカ。
【請求項１４】
ボイスコイルがボイスコイル部に蒸着または印刷により形成されている請求項１２または請求項１３に記載のスピーカ。
【請求項１５】
磁気回路は環状の磁気空隙を有しており、駆動力伝達部材はこの磁気空隙にはめ込まれる円筒状のボイスコイル部とこのボイスコイル部に結合された板状の駆動力伝達部材本体とで構成される請求項３または請求項４のいずれか１つに記載のスピーカ。
【請求項１６】
駆動力伝達部材は円筒状のボイスコイル部とこのボイスコイル部上部に設けられた駆動力伝達部材本体接合手段とこの駆動力伝達部材本体接合手段によって上記ボイスコイル部と結合される板状の駆動力伝達部材本体とで構成される請求項１５に記載のスピーカ。
【請求項１７】
板状の駆動力伝達部材が挿入固着されるスリットを有し、このスリットの両側は上記スリットに略直交する波形とし、上記スリットから外れる部分は半同心円状の波形としたコルゲーションを形成するとともに、外周をフレームに結合して、板状の駆動力伝達部材を支持するダンパーを設けた請求項１または請求項２に記載のスピーカ。
【請求項１８】
板状の駆動力伝達部材及び円筒状ボイスコイルボビンに接合されたダンパーであって、少なくとも、前記円筒状ボイスコイルボビンとの１つ以上の環状接合部と、その外側に長径軸方向を除いて設けた切り欠き部と、板状の駆動力伝達部材が挿入固着されるスリットと、両側に前記スリットと平行な少なくとも一つ以上の凸又は凹を繰り返して形成される波形と、フレームに結合する外周接合部とから形成されるダンパーを設けた請求項３または請求項４に記載のスピーカ。
【請求項１９】
ダンパーは円筒状ボイスコイルボビンとの環状接合部と、長径軸方向に板状駆動力伝達部材が挿入固着されるスリットを設けた直線状接合部を有し、波形形成部において前記直線状接合部と平行な波形と、それに連なる半同心円状の波形を形成した請求項１８に記載のスピーカ。
【請求項２０】
ダンパーは円筒状ボイスコイルボビンとの環状接合部と、長径軸方向に板状駆動力伝達部材が部分的に挿入固着されるスリットを設けた直線状接合部を有し、前記スリットを環状接合部から間隔を開けて設けた請求項１８に記載のスピーカ。
【手続補正２】
【補正対象書類名】明細書
【補正対象項目名】００２１
【補正方法】変更
【補正の内容】
【００２１】
本発明の請求項１０に記載の発明は、請求項１から請求項４のいずれかに記載の駆動力伝達部材の材質をガラス繊維複合ポリアミドイミド樹脂シートなどの高耐熱樹脂シートを用いたことにより、スピーカの高耐入力化が図れるものである。


【手続補正３】
【補正対象書類名】明細書
【補正対象項目名】００２２
【補正方法】変更
【補正の内容】
【００２２】
本発明の請求項１１に記載の発明は、請求項１から請求項４のいずれかに記載の駆動力伝達部材をガラス繊維複合ポリアミドイミド樹脂などを用いた樹脂シートまたはアルミ等の金属板を表面材あるいはコア材とする複合基板としたものであり、高耐熱化と曲げ剛性をさらに向上させてさらなる高耐入力化が図れるものである。


【手続補正４】
【補正対象書類名】明細書
【補正対象項目名】００２６
【補正方法】変更
【補正の内容】
【００２６】
本発明の請求項１５に記載の発明は、請求項３または請求項４に記載の磁気回路を環状の磁気空隙を有するものとし、駆動力伝達部材を上記磁気空隙にはめ込まれる円筒状のボイスコイル部とこのボイスコイル部に結合された板状の駆動力伝達部材本体で構成したので、磁気回路は一般的なスピーカの磁気回路が使用できて安価なスピーカが提供できるものである。